(57)【特許請求の範囲】
【請求項１】
複数の異なる属性の受診者に対し、異なる種類の検査、診断及び治療を同一フロアで行う医療エリアであって、
前記属性別に設けられ、前記受診者が待機する複数の待合室と、
前記異なる種類の検査、診断及び治療を行う複数の医療室と、
前記待合室と前記医療室とを結ぶと共に前記医療室同士を結び、他の属性の受診者の視野を遮る壁で仕切られた複数の受診者通路と、
前記受診者通路の交差部に設けられ、前記異なる属性の受診者同士が交差部で出会わないように、一方の前記受診者通路の通路部から前記交差部への進入は許容し、他方の前記受診者通路の通路部から前記交差部への進入は制限する移動制限手段と、
を有する医療エリア。
【請求項２】
前記待合室から前記受診者通路への出入口に設けられ、前記異なる属性の受診者同士が前記受診者通路で出会わないように、一方の前記出入口から前記受診者通路への進入は許容し、他方の前記出入口から前記受診者通路への進入は制限する出入制限手段を有することを特徴とする請求項１に記載の医療エリア。
【請求項３】
前記受診者通路から前記医療室への出入口に設けられ、前記異なる属性の受診者同士が前記医療室内で出会わないように、一方の前記出入口から前記医療室への進入は許容し、他方の前記出入口から前記医療室への進入は制限する出入制限手段を有することを特徴とする請求項１に記載の医療エリア。
【請求項４】
前記移動制限手段及び前記出入制限手段は、
前記受診者に携帯され前記受診者を識別する受診者識別手段と、
前記受診者識別手段の情報を読み込み、前記交差部への出入口、前記待合室から前記受診者通路への出入口及び前期受診者通路から前期医療室への出入口の開放、遮断を判断し、制御指令を出力する制御手段と、
前記交差部及び前記待合室から前記受診者通路への出入口に設けられ、前記制御手段からの制御指令に基づき、前記交差部への出入口及び前記待合室から前記受診者通路への出入口の開放、遮断を行う第１開放遮断手段と、
前記受診者通路から前記医療室への出入口に設けられ、前記制御手段からの制御指令に基づき、前記受診者通路から前記医療室への出入口の開放、遮断を行う第２開放遮断手段と、
を有することを特徴とする請求項１〜３のいずれか１項に記載の医療エリア。
【請求項５】
前記受診者識別手段は、前記受診者を識別する信号を記録したＩＣタグであり、
前記開放遮断手段は、前記交差部への出入口、前記待合室から前記受診者通路への出入口及び前記受診者通路から前記医療室への出入口に設けられ、
前記制御指令を受けて前記交差部への出入口、前記待合室から前記受診者通路への出入口及び前記受診者通路から前記医療室への出入口を、開放若しくは遮断する電子制御機能を備えたドアであることを特徴とする請求項４に記載の医療エリア。
【発明の詳細な説明】
【技術分野】
【０００１】
本発明は、医療施設に設けられ、同一フロアで異なる種類の検査、治療若しくは診断を行う医療エリアに関する。
【背景技術】
【０００２】
高度医療を提供する医療施設の医療エリアでは、医療行為（検査、治療、診断）を受ける受診者のプライバシーの保護や心理的ストレスの緩和に配慮しながら、待ち時間の少ないスムーズな施設運営が求められている。
【０００３】
特に近年は、医療行為の高度化、細分化による受診項目の増加に加え、受診者の属性として、男女の区別のみならず、医療エリアにおける会員と非会員の区別等の、より多くの属性への対応要求が強くなっており、属性別の受診者のプライバシーの保護や心理的ストレスの緩和に配慮した施設構造が求められている。
【０００４】
このためには、医療エリアのレイアウトに立ち返り、複数の属性別の受診者の動線を把握し、それらのいずれもが極力交わらないようにする施設配置が重要である。
【０００５】
受診者の動線を考慮した医療エリアのレイアウトに関する技術としては、例えば、受診者の動線を一方通行に制限した医院のレイアウトがある（特許文献１）。
【０００６】
特許文献１に記載された小規模な医院では、受診者の数も限られ、医療行為の範囲も広くないため、受診者の動線を一方通行に制限することで目的を達成できると思われる。
【０００７】
しかし、例えば、大規模な健診施設等では、受診者の数が多い上に、種類の異なる多くの検査項目を短時間で検査する必要があり、一方通行のみの制限では、複数の属性の受診者のプライバシーの保護や心理的ストレスの緩和に配慮したスムーズな検査の実現は困難である。
【特許文献１】特開２００２−１８８３０６号公報
【発明の開示】
【発明が解決しようとする課題】
【０００８】
本発明は、上記事実に鑑み、属性別に受診者のプライバシーの保護に配慮した、医療エリアを提供することを目的とする。
【課題を解決するための手段】
【０００９】
請求項1に記載の発明に係る医療エリアは、複数の異なる属性の受診者に対し、異なる種類の検査、診断及び治療を同一フロアで行う医療エリアであって、前記属性別に設けられ、前記受診者が待機する複数の待合室と、前記異なる種類の検査、診断及び治療を行う複数の医療室と、前記待合室と前記医療室とを結ぶと共に前記医療室同士を結び、他の属性の受診者の視野を遮る壁で仕切られた複数の受診者通路と、前記受診者通路の交差部に設けられ、前記異なる属性の受診者同士が交差部で出会わないように、一方の前記受診者通路の通路部から前記交差部への進入は許容し、他方の前記受診者通路の通路部から前記交差部への進入は制限する移動制限手段と、を有することを特徴としている。
【００１０】
請求項1に記載の発明によれば、受診者は、待合室から受診を行う医療室へ受診者通路を移動する。また、受診を終えた医療室から、次の受診を行う医療室へ受診者通路を移動する。
このとき、受診者通路は属性別に複数設けられ、かつ、他の属性の受診者の視野を遮る壁で仕切られており、異なる属性の受診者と出会うことはない。
なお受診者の視野を遮る壁は、一般的に広く利用されている固定式の間仕切り壁に限定されることはなく、布製のカーテン、半透明のガラス板、置き式の衝立等の視野を遮るものであれば材質は問わない。また可動式のものでもよい。
【００１１】
しかし、受診者の移動距離、医療エリア側の敷地面積、医療スタッフの配置、医療機器の設置場所等に基づく制約から、どうしても属性別の受診者通路が交差せざるを得ない場所が生じる。この受診者通路の交差部には、交差部への進入を制限する制限手段が設けられている。
【００１２】
受診者通路を通路が交差する交差部と、交差部を除いた通路部と区分すれば、この制限手段により、一方の受診者の受診者通路の通路部から交差部への進入は制限され、他方の受診者の受診者通路の通路部から交差部への進入は許容される。これにより、異なる属性の受診者が通路部で出会うことはない。
このように、属性別の受診者のプライバシーが守られると共に、他の属性別の受診者と出会うこともなく、受診者の心理的ストレスの緩和も期待できる。
【００１３】
請求項２に記載の発明は、請求項１に記載の医療エリアにおいて、前記待合室から前記受診者通路への出入口に設けられ、前記異なる属性の受診者同士が前記受診者通路で出会わないように、一方の前記出入口から前記受診者通路への進入は許容し、他方の前記出入口から前記受診者通路への進入は制限する出入制限手段を有することを特徴としている。
【００１４】
請求項２に記載の発明によれば、待合室から受診者通路への出入口に出入制限手段が設けられている。
これにより、異なる属性の受診者が同じ受診者通路を共用せざるを得ない場合に、一方の待合室の出入口から受診者通路への進入は許容し、他方の待合室の出入口から受診者通路への進入は制限され、異なる属性の受診者が受診者通路で出会うことはない。
【００１５】
請求項３に記載の発明は、請求項１に記載の医療エリアにおいて、前記受診者通路から前記医療室への出入口に設けられ、前記異なる属性の受診者同士が医療室内で出会わないように、一方の前記出入口から前記医療室への進入は許容し、他方の前記出入口から前記医療室への進入は制限する出入制限手段を有することを特徴としている。
【００１６】
請求項３に記載の発明によれば、受診者通路から医療室への出入口に出入制限手段が設けられている。
これにより、異なる属性の受診者が同じ医療室を共用せざるを得ない場合に、一方の受診者通路の出入口から医療室への進入は許容し、他方の受診者通路の出入口から医療室への進入は制限され、医療室で異なる属性の受診者が出会うことはない。
【００１７】
請求項４に記載の発明は、請求項１〜３のいずれか１項に記載の医療エリアにおいて、前記移動制限手段及び前記出入制限手段は、前記受診者に携帯され前記受診者を識別する受診者識別手段と、前記受診者識別手段の情報を読み込み、前記交差部への出入口、前記待合室から前記受診者通路への出入口及び前期受診者通路から前期医療室への出入口の開放、遮断を判断し、制御指令を出力する制御手段と、前記交差部及び前記待合室から前記受診者通路への出入口に設けられ、前記制御手段からの制御指令に基づき、前記交差部への出入口及び前記待合室から前記受診者通路への出入口の開放、遮断を行う第１開放遮断手段と、前記受診者通路から前記医療室への出入口に設けられ、前記制御手段からの制御指令に基づき、前記受診者通路から前記医療室への出入口の開放、遮断を行う第２開放遮断手段と、を有することを特徴としている。
【００１８】
請求項４に記載の発明によれば、受診者は、受診者を識別する受診者識別手段を携帯している。制御手段は、これらの受診者識別手段の情報を読み込み、交差部への出入口、待合室から受診者通路への出入口及び受診者通路から医療室への出入口の少なくとも一つの出入口に接近する受診者を識別する。
識別結果から、開放する交差部への出入口と遮断する交差部への出入口、開放する待合室から受診者通路への出入口と遮断する待合室から受診者通路への出入口若しくは開放する受診者通路から医療室への出入口と遮断する受診者通路から医療室への出入口を判断し、判断結果を制御指令として出力する。
【００１９】
このとき、交差部への出入口、待合室から受診者通路への出入口若しくは受診者通路から医療室への出入口において、先にこれらの出入口に接近した受診者を、優先して先に進入させる方法や、複数の階層に予め順位をつけておき、この順位に基づいた優先順位で受診者を進入させる方法などがある。
【００２０】
第１開放遮断手段は、制御手段からの制御指令に基づき、交差部への出入口及び待合室から受診者通路への出入口の少なくとも一方を制御する。第２開放遮断手段は、制御手段からの制御指令に基づき、受診者通路から医療室への出入口を制御する。
これにより、交差部、受診者通路及び医療室で属性の異なる受診者が出会うことがなく、属性別の受診者のプライバシーが守られると共に、受診者の心理的ストレスの緩和も期待できる。
【００２１】
請求項５に記載の発明は、請求項４に記載の医療エリアにおいて、前記受診者識別手段は、前記受診者を識別する信号を記録したＩＣタグであり、前記開放遮断手段は、前記交差部への出入口、前記待合室から前記受診者通路への出入口及び前記受診者通路から前記医療室への出入口に設けられ、前記制御指令を受けて前記交差部への出入口、前記待合室から前記受診者通路への出入口及び前記受診者通路から前記医療室への出入口を、開放、若しくは遮断する電子制御機能を備えたドアであることを特徴としている。
【００２２】
請求項５に記載の発明によれば、ＩＣタグに受診者を識別する信号を記録している。また、交差部への出入口、待合室から受診者通路への出入口及び受診者通路から医療室への出入口に設けられた電子制御機能付ドアが、制御指令を受けて、交差部への出入口、待合室から受診者通路への出入口及び受診者通路から医療室への出入口を開放し、若しくは遮断する。
【００２３】
これにより、ＩＣタグは小型・軽量なので、受診衣等にも簡単に取付けることができ、交差部及び待合室と受診者通路の出入口の開放、遮断の判断を確実に行うことができる。この結果、属性別の受診者のプライバシーが守られると共に、他の属性の受診者と出会うこともなく、受診者の心理的ストレスの緩和も期待できる。
【発明の効果】
【００２４】
本発明は、上記構成としてあるので、属性別に受診者のプライバシーの保護に配慮した医療エリアを提供できる。
【発明を実施するための最良の形態】
【００２５】
（第１の実施の形態）
検査、診断、治療からなる医療行為のうち、検査を行う検査ゾーンへの適用例について説明する。
図１に示すように、医療エリア１０の１つの角部には、一般の受診者が受診の受付を行なう受付兼事務室４６が設けられている。
【００２６】
受付兼事務室４６の隣には更衣室と待合室が並んで設けられ、受付を終えた受診者が、図示しない一般通路から更衣室へ進入し、更衣室で受診着に着替え、待合室で次の検査に備えて待機する。
【００２７】
一般の男性受診者は、矢印Ｍ１の前にある入口１２Ｄから男性用更衣室１２に入り、受診着に着替えた後、男性用待合室１４で待機する。
一般の女性受診者は、矢印Ｗ１の前にある入口１６Ｄから女性用更衣室１６に入り、受診着に着替えた後、女性用待合室１８で待機する。
【００２８】
男性用更衣室１２と女性用更衣室１６は壁１７で仕切られ、視界が遮られている。これにより、受付を終えた男性受診者と女性受診者のプライバシーが保護される。
男性用待合室１４、男性用更衣室１２、女性用更衣室１６及び女性用待合室１８に隣接して、医療室としての男性検査ゾーン３６Ａ〜３６Ｄが設けられている。
【００２９】
男性検査ゾーン３６Ａに隣接して一般の男性用の受診者通路２８が設けられている。
一般の男性受診者は、男性用待合室１４から矢印Ｍ２で示す方向に進み、ドア１４Ｄ、受診者通路２８、ドア２８Ｄを経て、男性検査ゾーン３６Ａに移動する。
【００３０】
男性検査ゾーン３６Ａ〜３６Ｄは、一般的に共通して検査される項目を検査する一般検査ゾーンであり、４つに区画されているが個室とはなっていない。例えば、男性検査ゾーン３６Ａでは身体計測、眼底検査、採血、聴力検査などが行われ、男性検査ゾーン３６Ｂではエコーや心電図などの検査が行われ、男性検査ゾーン３６Ｃでは内視鏡の検査が行われ、男性検査ゾーン３６Ｄでは内診が行われる。男性検査ゾーン３６Ａ〜３６Ｄはそれぞれ壁１９で仕切られ、検査を受ける男性受診者のプライバシーの保護が図られている。
【００３１】
一般の男性受診者は、男性検査ゾーン３６Ａ〜３６Ｄを順次移動し、必要な項目の検査を受ける。
男性検査ゾーン３６Ｄに隣接して、一般の女性用の受診者通路３２が設けられている。一般の女性は、女性用待合室１８から女性受診者通路３２を通り、後述する女性検査ゾーン４２Ａ〜４２Ｄに移動する。
【００３２】
男性検査ゾーン３６Ａ〜３６Ｄに隣接して、後述する会員男性用の男性検査ゾーン３８Ａ〜３８Ｄが設けられ、さらに、男性検査ゾーン３８Ａ〜３８Ｄに隣接してスタッフエリア４０が設けられている。スタッフエリア４０では、医療スタッフが検査の準備、医療機器の操作等を行う。
【００３３】
スタッフエリア４０に隣接して一般女性用の女性検査ゾーン４２Ａ〜４２Ｄが設けられている。スタッフエリア４０を会員の男性検査ゾーン３８Ａ〜３８Ｄと、一般の女性検査ゾーン４２Ａ〜４２Ｄの間に配置したことで、医療スタッフの動線が短くでき、医療スタッフが効率的に移動できる。
【００３４】
また、スタッフエリア４０で女性検査ゾーン４２Ａ〜４２Ｄと男性検査ゾーン３６Ａ〜３６Ｄを区切ることとなり、より確実に視界が遮られ、プライバシーの保護が図れる。
【００３５】
女性検査ゾーン４２Ａ〜４２Ｄの構成、検査項目等は、既述の男性検査ゾーン３６Ａ〜３６Ｄと同じである。
これにより、一般の女性受診者は、女性用待合室１８から矢印Ｗ２で示す方向に、ドア１８Ｄ、受診者通路３２、ドア４２Ｅを通り、女性検査ゾーン４２Ｄへ移動する。
【００３６】
なお、多くの医療機関は会員制度を有しており、会員の受診者と一般の受診者が出会わないような工夫が求められている。即ち、男性と女性の２属性に加え、それぞれに、更に会員と一般の区分を設けている。この４属性に対し、それぞれの属性の受診者が出会わないような配慮が要求されている。
【００３７】
この要求を満たすために、医療エリア１０において、一般用の受付兼事務室４６が設けられている角部と反対側の角部に、会員の受診者が受診の受付を行なう受付兼事務室４８を設けている。
【００３８】
受付兼事務室４８の隣には、会員用の更衣室と待合室が並んで設けられている。
受付を終えた会員の男性受診者は、矢印ＶＭ１の前にあるドア２０Ｄから会員男性用更衣室２０に入り、受診着に着替えた後、会員男性用待合室２２で待機する。
【００３９】
受付を終えた会員の女性受診者も同様に、矢印ＶＷ１の前にあるドア２４Ｄから会員女性用更衣室２４に入り、受診着に着替えた後、会員女性用待合室２６で待機する。
【００４０】
会員男性用更衣室２０と会員女性用更衣室２４は壁２１で仕切られ、受付を終えた会員男性用と会員女性が出会うことはない。
会員女性用待合室２６、会員女性用更衣室２４、会員男性用更衣室２０及び会員男性用待合室２２に隣接して、会員女性検査ゾーン４４Ａ〜４４Ｄが設けられている。会員女性検査ゾーン４４Ａ〜４４Ｄは一般女性検査ゾーン４２Ａ〜４２Ｄとも隣接している。
【００４１】
会員女性検査ゾーン４４Ｄに隣接して、会員女性用の受診者通路３４が設けられている。
これにより、会員女性は、会員女性用待合室２６から矢印ＶＷ２で示す方向に、ドア２６Ｄ、受診者通路３４、ドア４４Ｅを通り、会員女性検査ゾーン４４Ｄへ移動できる。
【００４２】
受診者通路３４と受診者通路３２は壁３２Ｗで仕切られ、また、会員女性検査ゾーン４４Ａ〜４４Ｄと一般女性検査ゾーン４２Ａ〜４２Ｄは壁４２Ｗで仕切られており、会員の女性受診者と一般の女性受診者が出会うことはない。
【００４３】
会員女性検査ゾーン４４Ａ〜４４Ｄは、上述した男性検査ゾーン３６Ａ〜３６Ｄと同じ構成とされ、同じ項目の検査が行われる。
また、会員男性用の会員男性検査ゾーン３８Ａ〜３８Ｄが、男性検査ゾーン３６Ａ〜３６Ｄとスタッフエリア４０の間に設けられている。
【００４４】
会員男性用待合室２２から会員男性検査ゾーン３８Ａの間には、会員女性検査ゾーン４４Ａ、一般女性検査ゾーン４２Ａ及びスタッフエリア４０に隣接する受診者通路３０が設けられている。
【００４５】
会員男性は、会員の男性用待合室２２から矢印ＶＭ２の方向に、ドア２２Ｄ、受診者通路３０、ドア３０Ｄを通り、会員男性検査ゾーン３８Ａへ移動する。
会員男性の受診者通路３０と一般男性の受診者通路２８は、壁３０Ｗで仕切られ、また、会員男性検査ゾーン３８Ａ〜３８Ｄと一般男性検査ゾーン３６Ａ〜３６Ｄは、壁３６Ｗで仕切られており、会員男性と一般男性の受診者が出会うことはない。
これにより、受診者通路及び検査ゾーンにおいて、４つの属性の受診者、即ち、会員男性、会員女性、一般男性及び一般女性が出会うことはなく、それぞれのプライバシーの保護が図れる。
【００４６】
以上説明した一般検査ゾーンに隣接して、画像検査機器類を集約した画像検査ゾーンが設けられている。画像検査ゾーンは、受付兼事務室４６と受付兼事務室４８との間で、かつ、一般検査ゾーンの受診者通路３２、３４に隣接して設けられている。
【００４７】
画像検査ゾーンには、磁気共鳴映像を撮影する第１のＭＲ装置が設置された第１ＭＲ室５０、同じく第２のＭＲ装置が設置された第２ＭＲ室５２、Ｘ線映像診断装置が設置されたＸ線検査室５４が、受診者通路３４、３２と平行に、１列に並んで設けられている。
【００４８】
画像検査ゾーンに設けられた第１ＭＲ室５０、第２ＭＲ室５２、Ｘ線検査室５４と、受診者通路３２、３４の間には、男性用受診者通路６２が設けられている。また、第１ＭＲ室５０、第２ＭＲ室５２、Ｘ線検査室５４の受診者通路３２、３４と反対側には、女性用受診者通路６０が設けられている。
【００４９】
第１ＭＲ室５０、第２ＭＲ室５２、Ｘ線検査室５４の男性用受診者通路６２と接している壁面にはそれぞれドア５０ＭＤ、ドア５２ＭＤ、ドア５４ＭＤが設けられている。また、第１ＭＲ室５０、第２ＭＲ室５２、Ｘ線検査室５４の女性用受診者通路６０接している壁面には、それぞれドア５０ＷＤ、ドア５２ＷＤ、ドア５４ＷＤが設けられている。
【００５０】
男性用受診者通路６２と女性用受診者通路６０は、第１ＭＲ室５０の壁と一般用の受付兼事務室４６の壁の間に設けた壁６０Ｗで仕切られている。
【００５１】
一般の男性受診者は、一般男性検査ゾーン３６Ｄから一般女性用の受診者通路３２と交差する交差部６４を通り、男性用受診者通路６２に移動する。会員の男性受診者は、会員男性検査ゾーン３８Ｄから一般女性用の受診者通路３２と交差する交差部６６を通り、男性用受診者通路６２に移動する。一般及び会員の男性受診者は、男性用受診者通路６２から目的とする画像検査室に入る。
【００５２】
女性用受診者通路６０と隣接して、一般用の受付兼事務室４６から会員用の受付兼事務室４８に至る幅で、画像検査スタッフ室５８が設けられている。画像検査スタッフ室５８では、医療フタッフが画像検査機器を操作する。
【００５３】
女性用受診者通路６０は画像検査スタッフ室５８と隣接して設けられると共に、画像検査スタッフ室５８と直交する受付兼事務室４８と隣接して設けられている。受付兼事務室４８の前の女性用受診者通路６０の内部には、マンモグラフィ装置が設置されたマンモグラフィ室５６が設けられている。
【００５４】
一般の女性受診者は、一般女性用の受診者通路３２からドア３２Ｄを利用して女性用受診者通路６０に移動し、会員の女性受診者は、会員女性用の受診者通路３４からドア３４Ｄを利用して、女性用受診者通路６０に移動する。一般及び会員の女性受診者は、女性用受診者通路６０から目的とする画像検査室に入る。
【００５５】
このような構成においては、一般女性用の受診者通路３２を移動する一般女性受診者と、交差部６４を移動しようとする一般の男性受診者が交差部６４で出会い、また、交差部６６を移動しようとする会員の男性受診者が交差部６６で出会う可能性があり、これを避ける必要がある。
【００５６】
図２に示すように、一般女性用の受診者通路３２を移動する一般女性Ａは、ＩＣタグ７４を携帯又はＩＣタグが取付けられた受診着を着用している。一般女性用の受診者通路３２における交差部６６の手前には、ＩＣタグの情報を読み取る信号検出器７６、一般女性用の受診者通路３２の開放遮断手段であるドア７０、ドア７０の近くに設けられ移動中の受診者にメッセージを伝えるメッセージボード６８が設けられている。
【００５７】
交差部６６を渡ろうとする会員男性ＢもＩＣタグ７５を携帯又はＩＣタグが取付けられた受診着を着用している。検査ゾーン３８Ｄにおける交差部６６の手前には、ＩＣタグの情報を読み取る信号検出器７７、交差部６６の開放遮断手段であるドア７２、移動中の受診者にメッセージを伝えるメッセージボード６９が設けられている。
【００５８】
図３に示すように、一般女性Ａが交差部６６に移動する前に、即ち交差部６６の手前にいるときに、交差部６６の手前にある信号検出器７６で一般女性ＡのＩＣタグ７４の信号を受信し、ＩＣタグ７４の情報を読み取り、制御装置８４に受信内容を送信する。制御装置８４では、信号検出器７６の設置位置の情報やＩＣタグ７４に記載された一般女性Ａに関する情報から、一般女性Ａが交差部６６を通過しようとすることを認識する。
【００５９】
また、会員男性Ｂが交差部６６の手前に移動してきたとき、交差部６６の手前にある信号検出器７７で会員男性ＢのＩＣタグ７５の信号を受信し、ＩＣタグ７４の情報を読み取り、制御装置８４に受信内容を送信する。制御装置８４では、信号検出器７７の設置位置の情報やＩＣタグ７４に記載された会員男性Ｂに関する情報から、会員男性Ｂが交差部６６の手前にいて、交差部６６を通過しようとしていることを認識する。
【００６０】
この結果、例えば、交差部６６を通過する場合には先着者優先というルールを作っておけば、一般女性Ａが先に交差部６６に近づいた時には、一般女性Ａが交差部６６を通過するのが優先され、演算部８０で一般女性用の受診者通路３２側のドア７０を開放し、会員男性Ｂの前のドア７２を閉じるように判断し、ドア制御部８２に出力する。
【００６１】
ドア制御部８２は、ドア７０に向けて開放の、ドア７２に向けて閉止の指令を出す。ドア制御部８２からの指令を受けて、ドア７０に設けられた電子制御機能付きドア開閉装置８８がドア７０を開放する。これにより、一般女性Ａの交差部６６への進入は許容され、一般女性Ａはそのまま交差部６６を通過できる。
【００６２】
一方、ドア制御部８２からの指令を受けて、ドア７２に設けられた電子制御機能付きドア開閉装置８８がドア７２を閉止する。これにより、会員男性Ｂの交差部６６への進入は制限される。このとき、会員男性Ｂのドア７２の付近に設けられたメッセージボード６９には、メッセージ部８３からの指示で「おまち下さい」などの文字が表示され、交差部６６に入れないことを知らせる。
【００６３】
一般女性Ａが通過した後、一般女性用通路３２側のドア７０は閉止され、メッセージボード６９の表示が消され、会員男性Ｂの前のドア７２が開けられる。これにより、会員男性Ｂの交差部６６への進入が許容される。
これにより、交差部６６において、一般女性Ａと会員男性Ｂが出会うことはない。
この構成は、交差部６４でも同じである。
【００６４】
なお、ＩＣタグは一例であり、受診者を特定できる方法であれば、ＩＣカード等の他の方法でもよい。また、開放遮断手段は、電子制御機能を備えたドアとしたが、電子制御機能の替わりにブザーやランプ等の注意を喚起する手段で、受診者がドアを開放することを制限してもよい。
【００６５】
（第２の実施の形態）
次に、男性受診者の共用通路である男性用受診者通路６２における、一般男性と会員男性が出会うのを防止する方法について説明する。
【００６６】
図１に示すように、共用通路である男性用受診者通路６２へ入るには、一般の男性受診者は交差部６４を通過し、会員の男性受診者は交差部６６を通過する必要がある。
このため、例えば、先に一般の男性受診者が、男性用受診者通路６２へ入り、男性用受診者通路６２を移動しているときには、交差部６６の移動制限手段としてのドア７２を閉じ、会員の男性受診者の男性用受診者通路６２への進入を禁止する。
【００６７】
その後、一般の男性受診者が、例えば、第１ＭＲ室５０に到達し、男性用受診者通路６２から第１ＭＲ室５０に入ったときには、共用通路部である男性用受診者通路６２には誰もいなくなるため、交差部６６のドア７２を開放し、会員の男性受診者の男性用受診者通路６２への進入を許容する。
【００６８】
具体的には、図１、３に示すように、男性用受診者通路６２に設けられた信号検出器８１で、一般の男性受診者が携帯するＩＣタグ７９の信号を検出し、信号検出器８１から検出内容を制御装置８４に送る。制御装置８４は、信号検出器８１の設置された位置やＩＣタグ７９に記載された一般の男性受診者の情報から、一般の男性受診者が男性用受診者通路６２を移動していることを認識する。制御装置８４は、例えばスタッフエリア４０に設けられている。
【００６９】
このとき、信号検出器７７は会員男性が携帯するＩＣタグ７５の信号を検出する。この検出信号が制御装置８４に送られ、信号検出器７７が取付けられた位置やＩＣタグ７５に記載された情報から、制御装置８４は、会員の男性受診者が男性用受診者通路６２に移動していることを認識する。
【００７０】
この結果、制御装置８４は、会員の男性受診者の交差部６６への移動を制限するよう、ドア制御部８２とメッセージ部８３に指令を出す。
ドア制御部８２は、会員の男性受診者の前のドア７２を閉じ、メッセージ部８３はメッセージボード６９にメッセージを表示させる。
【００７１】
一般の男性受診者が、例えば、第１ＭＲ室５０に到達し、男性用受診者通路６２から第１ＭＲ室５０に入った場合には、会員の男性受診者の交差部６６への移動を許可する。このときには、メッセージボード６９のメッセージを消し、ドア７２を開放する。
【００７２】
これにより、一般男性と会員男性の共用通路である男性用受診者通路６２で、一般男性と会員男性が出会うことはない。
【００７３】
同様に、一般女性と会員女性の共用通路である女性用受診者通路６０においても、一般の女性受診者と会員の女性受診者が出会わないように、それぞれの女性受診者の位置を、女性受診者が携帯するＩＣタグで検出し、一般女性用の受診者通路３２の移動制限手段としてのドア３２Ｄ、若しくは会員女性用の受診者通路３４の移動制限手段としてのドア３４Ｄを制御装置８４で制御する。これにより、女性の共用通路である女性用受診者通路６０で、一般女性と会員女性が出会うことはない。
【００７４】
同様に、第１ＭＲ室５０においても、女性受診者と男性受診者が出会わないように、それぞれの女性受診者と男性受診者の位置を女性受診者と男性受診者が携帯するＩＣタグで検出し、第１ＭＲ室５０の女性用通路６０からＭＲ室内への女性用出入口のドア５０ＷＤと、男性用出入口のドア５０ＭＤを制御装置８４で制御する。
即ち、女性受診者が部屋に入ろうとする場合は男性側のドアは閉止するので、第１ＭＲ室５０の室内で女性受診者と男性受診者が出会うことはない。
なお、第２ＭＲ室５２の女性用出入口のドア５２ＷＤと男性用出入口のドア５２ＭＤ、Ｘ線検査室５４の女性用出入口のドア５４ＷＤと男性用出入口のドア５４ＭＤのドアも同様な構成となっており、制御装置８４で制御する。
これにより、第２ＭＲ室５２、Ｘ線検査室５４においても室内で女性受診者と男性受診者が出会うことはない。
【００７５】
このように、受診者がＩＣタグを携帯し、ＩＣタグの信号を検出する信号検出手段を施設内の多くの交差部や共用の通路に設け、交差部や共用の通路への入口に開放遮断手段を設けることで、異なる属性の受診者が出会うのを防止できる。
【００７６】
（第３の実施の形態）
次に、特殊な検査を行う検査ゾーンについて、ＰＥＴ（γ線画像診断法）検査を例に説明する。なお、ＰＥＴ検査はγ線を使用する関係から、定められた時間内は第３者との接触を絶つ必要があり、以下に説明する４つの属性の待合室兼回復室には、γ線の透過を妨げる壁で周囲を囲まれた複数のγ線遮蔽ブース（図示せず）が設けられている。ＰＥＴ検査の受診前及び受診後の受診者は、定められた時間、それぞれのブースの中で待機することで他の受診者との接触を絶つことができる。
【００７７】
図４に示すように、医療エリア９０の一部には、一般の受診者が受診の受付を行なう受付兼事務室９２が設けられている。
受付兼事務室９２の隣には、一般の男性受診者が、図示しない道路を通り、矢印Ｍ１の前にあるドア９４Ｄから入り受診着に着替える男性用更衣室９４と、着替えが終えた男性が待機すると共に検査後の回復を待つ男性用待合室兼回復室９６が並んで設けられている。
【００７８】
同様に、一般の女性受診者が、図示しない道路を通り、矢印Ｗ１の前にあるドア９８Ｄから入り受診着に着替える女性用更衣室９８と、受診着に着替えた女性が待機すると共に検査後の回復を待つ女性用待合室兼回復室１００が並んで設けられている。
【００７９】
男性用更衣室９４と女性用更衣室９８は壁９８Ｗで、男性用待合室兼回復室９６と女性用待合室兼回復室１００は壁１００Ｗで、それぞれ仕切られている。
これにより、受付を終えた一般の男性受診者と一般の女性受診者が出会うことはない。
【００８０】
医療エリア９０における受付兼事務室９２の反対側には、会員の受診者が受診の受付を行なう受付兼事務室１０２が設けられている。
【００８１】
受付兼事務室１０２の隣には、会員の男性受診者が、矢印ＶＭ１の前にあるドア１０４Ｄから入り受診着に着替える会員男性用更衣室１０４と、着替えが終えた会員の男性受診者が待機すると共に検査後の回復を待つ会員男性用待合室兼回復室１０６が、並んで設けられている。
【００８２】
女性用も同様に、会員の女性受診者が、矢印ＶＷ１の前にあるドア１０８Ｄから入り、受診着に着替える会員女性用更衣室１０８と、着替えが終えた会員の女性受診者が待機すると共に検査後の回復を待つ会員女性用待合室１１０が並んで設けられている。
【００８３】
会員男性用更衣室１０４と会員女性用更衣室１０８は壁１０８Ｗで、会員男性用待合室兼回復室１０６と会員女性用待合室１１０は壁１１０Ｗで、それぞれ仕切られている。
これにより、受付を終えた会員の男性受診者と会員の女性受診者が出会うことはない。
【００８４】
受付兼事務室９２と受付兼事務室１０２の間には、ＰＥＴスタッフエリア１１２が設けられている。
このＰＥＴスタッフエリア１１２と会員男性用更衣室１０４、会員女性用更衣室１０８、会員男性用待合室兼回復室１０６及び会員女性用待合室１１０に挟まれ、同時に受付兼事務室９２と受付兼事務室１０２にも挟まれた空間に、ＰＥＴ検査用の機器類が配置されている。
【００８５】
例えば、γ線による画像診断を行う第１のＰＥＴ−ＣＴ装置が配置された第１ＰＥＴ室１１４、ＰＥＴ検査のための採血や静脈注射等を行う採血室１１６、同じくγ線による画像診断を行う第２のＰＥＴ−ＣＴ装置が配置された第２ＰＥＴ室１１８が、ＰＥＴスタッフエリア１１２と平行の方向に設けられている。
【００８６】
ＰＥＴ検査ゾーンのＰＥＴスタッフエリア１１２側には、男性用受診者通路１２０が設けられている。男性用受診者通路１２０の片方の端部は、受付兼事務室９２と接する方向に曲がり、更に、先端部が一般の男性用待合室兼回復室９６と接している。
【００８７】
男性用受診者通路１２０の他方の端部は、受付兼事務室１０２と接する方向に曲がり、先端部が会員の男性用待合室兼回復室１０６と接している。
これにより、一般の男性受診者は、一般の男性用待合室兼回復室９６から、出入口のドア９６Ｄを通り、男性用受診者通路１２０に入ることができる。また、会員の男性受診者は、会員の男性用待合室兼回復室１０６から、出入制限手段としての出入口のドア１０６Ｄを通り、男性用受診者通路１２０に入ることができる。
男性用受診者通路１２０は、男性受診者の共用の通路となっており、第１ＰＥＴ室１１４、採血室１１６、第２ＰＥＴ室１１８の男性用受診者通路１２０側には、それぞれドア１１４ＭＤ、ドア１１６ＭＤ、ドア１１８ＭＤが設けられている。
男性受診者は、男性用受診者通路１２０から必要とする検査室に入る。
【００８８】
ＰＥＴ検査ゾーンの一般の男性用待合室兼回復室９６、一般の女性用待合回復室１００、会員の男性用待合室兼回復室１０６及び会員の女性用待合回復室１１０側には、女性用受診者通路１２２が設けられている。
【００８９】
一般の女性受診者は、女性用待合回復室１００の出入制限手段としての出入口のドア１００Ｄから女性用受診者通路１２２に入ることができ、会員の女性受診者は、女性用待合回復室１１０の出入制限手段としての出入口のドア１１０Ｄから女性用受診者通路１２２に入ることができる。女性受診者は、女性用受診者通路１２２から必要とする検査室に入る。
【００９０】
男性用受診者通路１２０と女性用受診者通路１２２は、壁１２２Ｗで仕切られている。
女性用受診者通路１２２は、女性受診者の共用の通路となっており、第１ＰＥＴ室１１４、採血室１１６、第２ＰＥＴ室１１８の女性用受診者通路１２２側には、それぞれドア１１４ＷＤ、ドア１１６ＷＤ、ドア１１８ＷＤが設けられている。
【００９１】
このため、一般男性と会員男性が共用の男性用受診者通路１２０で出会い、一般女性と会員女性が共用の女性用受診者通路１２２で出会うおそれがある。
【００９２】
これを防ぐため、例えば、一般の男性受診者が先に男性用待合室兼回復室９６から男性用受診者通路１２０へ入り、男性用受診者通路１２０を移動しているときには、会員の男性受診者が待機している男性用待合室兼回復室１０６の出入制限手段としての出入口のドア１０６Ｄは閉じられ、会員男性の男性用受診者通路１２０への進入が制限される。
【００９３】
図４、５に示すように、具体的には、一般の男性受診者が男性用受診者通路１２０を移動しているとき、男性用受診者通路１２０に設けられた信号検出器１２０Ｓで、一般の男性受診者が携帯するＩＣタグ１２８の信号を検出し、検出内容を制御装置８４へ送信する。このとき、会員の男性受診者が男性用待合室兼回復室１０６で待機していることを、男性用待合室兼回復室１０６の信号検出器１０６Ｓで検出し、検出内容を制御装置８４へ送信する。
【００９４】
制御装置８４では、一般の男性受診者が男性用受診者通路１２０を移動していること、会員の男性受診者が男性用待合室兼回復室１０６で待機していることを認識し、会員の男性受診者が男性用受診者通路１２０へ移動するのを制限するため、男性用待合室兼回復室１０６の出入口のドア１０６Ｄを閉じる。このとき、メッセージボード１３４には、「おまち下さい」等の表示がされる。
【００９５】
その後、一般の男性受診者が男性用受診者通路１２０から、例えば第１ＰＥＴ室１１４に入ったときには、第１ＰＥＴ室１１４に設けられた信号検出器１１４Ｓで一般の男性受診者のＩＣタグの情報を読み取り、第１ＰＥＴ室１１４に入ったことを制御装置８４へ知らせる。制御装置８４では、会員男性の男性用受診者通路１２０への進入を許容するため、メッセージボード１３４の表示を消し、会員男性の待機回復エリア１０６の出入口のドア１０６Ｄを開放する。
【００９６】
これにより、男性の共用通路である男性用受診者通路１２０で、一般男性と会員男性が出会うことはない。
同様に、例えば、一般の女性受診者が、先に女性用待合室兼回復室１００から、女性の共用通路である女性通路１２２へ入って移動しているときには、一般の女性受診者が携帯しているＩＣタグ１３０の信号が信号検出器１２２Ｓで検出され、検出内容が制御装置８４へ送信される。このとき、会員の女性受診者が女性用待合室兼回復室１１０で待機していることが信号検出器１１０Ｓで検出され、検出内容が制御装置８４へ送信される。
【００９７】
制御装置８４は、会員の女性受診者の女性通路１２２への移動を制限するため、会員女性用待合室兼回復室１１０の出入口のドア１１０Ｄを閉じる。このとき、メッセージボード１３２には「おまち下さい」等の表示がされる。これにより、会員女性の女性用受診者通路１２２への進入が禁止される。
【００９８】
一般女性が女性用受診者通路１２２から、例えば採血室１１６に入ったときには、信号検出器１１６Ｓで一般女性が携帯するＩＣタグの情報を検出し、制御装置８４へ送信する。制御装置８４では会員女性の女性用受診者通路１２２への進入を許容し、メッセージボード１３２の表示が消され、会員女性用待合室兼回復室１１０のドアが開放される。
【００９９】
女性用受診者通路１２２に誰もいなくなった後、会員女性の女性用受診者通路１２２への進入が許容される。
これにより、女性の共用通路である女性用受診者通路１２２で、一般女性と会員女性が出会うことはない。
【０１００】
なお、第１ＰＥＴ室１１４、採血室１１６、第２ＰＥＴ室１１８には１名ずつしか入れない。
このため、第１ＰＥＴ室１１４においても、女性受診者と男性受診者が出会わないように、それぞれの女性受診者と男性受診者の位置を女性受診者と男性受診者が携帯するＩＣタグで検出し、第１ＰＥＴ室１１４の女性用通路１２２から室内への女性用出入口のドア１１４ＷＤと、男性用出入口のドア１１４ＭＤを制御装置８４で制御する。
即ち、女性受診者が部屋に入ろうとする場合は男性側のドアは閉止するので、第１ＰＥＴ室１１４の室内で女性受診者と男性受診者が出会うことはない。
なお、採血室１１６の女性用出入口のドア１１６ＷＤと男性用出入口のドア１１６ＭＤ、第２ＰＥＴ室１１８の女性用出入口のドア１１８ＷＤと男性用出入口のドア１１８ＭＤのドアも同様な構成となっており、制御装置８４で制御する。
これにより、採血室１１６、第２ＰＥＴ室１１８においても室内で女性受診者と男性受診者が出会うことはない。
【図面の簡単な説明】
【０１０１】
【図１】本発明の第１の実施の形態に係る医療エリアの基本構成を示す図である。
【図２】本発明の第１の実施の形態に係る医療エリアの交差部での処理を示す概念図である。
【図３】本発明の第１の実施の形態に係る医療エリアの制御の概念を示す図である。
【図４】本発明の第３の実施の形態に係る医療エリアの基本構成を示す図である。
【図５】本発明の第３の実施の形態に係る医療エリアの制御の概念を示す図である。
【符号の説明】
【０１０２】
１０    医療エリア
１４    待合室（一般男性用）
１８    待合室（一般女性用）
２２    待合室（会員男性用）
２６    待合室（会員女性用）
２８    受診者通路（一般男性用）
３０    受診者通路（一般女性用）
３２    受診者通路（会員男性用）
３４    受診者通路（会員女性用）
３６    医療室（一般男性用）
３８    医療室（一般女性用）
４２    医療室（会員男性用）
４４    医療室（会員女性用）
７０    ドア（移動制限手段）
７２    ドア（移動制限手段）
７４    ＩＣタグ（受診者識別手段）
８０    制御装置（制御手段）
９６Ｄ    出入口のドア（出入制限手段）
１００Ｄ    出入口のドア（出入制限手段）
１０６Ｄ    出入口のドア（出入制限手段）
１１０Ｄ    出入口のドア（出入制限手段）
【図１】
0005030764.tif 000002
【図２】
0005030764.tif 000003
【図３】
0005030764.tif 000004
【図４】
0005030764.tif 000005
【図５】
0005030764.tif 000006